(57)【要約】【課題】製本処理の能力を超えたシート枚数の製本ジョブに対し、ユーザーが後工程の簡単な合冊作業をするだけで所望の冊子が作成できるような形態で複数の分冊冊子を自動的に作成する画像形成システムを提供すること。【解決手段】背表紙幅、あるいはシート枚数が所定値を超えると判定した場合は、シート収容手段に収容されたシートと第２の表紙収容手段に収容された分冊冊子用の表紙を用いて、ジョブにより作成しようとする冊子を分冊した分冊冊子を作成するべく、前記一連の処理及び動作を制御する。【選択図】図２１
2009166457.tif 000002
【特許請求の範囲】
【請求項１】
複数のシートからなるシート束の背部に表紙を糊付けして冊子を作成する製本装置と、
前記シート又は前記表紙に画像を形成する画像形成装置と、
前記シートを収容するシート収容手段と、
原冊子用の表紙を収容する第１の表紙収容手段と、
分冊冊子用の表紙を収容する第２の表紙収容手段と、
冊子を作成するための一連の処理及び動作を制御する制御部と、
を備える画像形成システムにおいて、
前記制御部は、冊子を作成するジョブを実行する際に、当該ジョブにより作成しようとする冊子の背表紙幅、あるいは冊子のシート枚数を所定値と比較し、前記背表紙幅、あるいは前記シート枚数が所定値以下であると判定した場合は、前記シート収容手段に収容されたシートと前記第１の表紙収容手段に収容された原冊子用の表紙を用いて冊子を作成し、前記背表紙幅、あるいは前記シート枚数が所定値を超えると判定した場合は、前記シート収容手段に収容されたシートと前記第２の表紙収容手段に収容された分冊冊子用の表紙を用いて、前記ジョブにより作成しようとする冊子を分冊した分冊冊子を作成するべく、前記一連の処理及び動作を制御することを特徴とする画像形成システム。
【請求項２】
前記背表紙幅は、前記シート収容手段に収容されたシート１枚の厚さと前記ジョブにより作成しようとする冊子１部あたりのシート枚数を積して得られた値であることを特徴とする請求項１に記載の画像形成システム。
【請求項３】
前記第２の表紙収容手段は複数設置されており、
前記制御部は、複数の前記第２の表紙収容手段に収容される分冊冊子用の表紙に関する情報及び前記シート収容手段に収容されるシートに関する情報に基づき、前記シート収容手段に収容するシートと給紙方向の幅が等しく、且つ給紙方向の長さが所定値以上である分冊冊子用の表紙を収容する第２の表紙収容手段を選定し、当該第２の表紙収容手段に収容された分冊冊子用の表紙を用いて、分冊冊子を作成するように制御することを特徴とする請求項１、又は２に記載の画像形成システム。
【請求項４】
前記第２の表紙収容手段は複数設置されており、
前記制御部は、複数の前記第２の表紙収容手段に収容される分冊冊子用の表紙に関する情報及び前記シート収容手段に収容されるシートに関する情報に基づき、前記シート収容手段に収容するシートと種別の同一である分冊冊子用の表紙を収容する第２の表紙収容手段を選定し、当該第２の表紙収容手段に収容された分冊冊子用の表紙を用いて分冊冊子を作成するように制御することを特徴とする請求項１乃至３の何れか１項に記載の画像形成システム。
【請求項５】
前記制御部は、分冊冊子を作成する場合に、前記第２の表紙収容手段に収容される分冊冊子用の表紙に本文ページデータを画像形成するように制御することを特徴とする請求項１乃至４の何れか１項に記載の画像形成システム。
【請求項６】
前記制御部は、分冊冊子を作成する場合に、複数の分冊冊子を作成すると共に、前記第１の表紙収容手段に収容される原冊子用の表紙に表紙ページデータが画像形成された合冊用の表紙を作成するように制御することを特徴とする請求項１乃至５の何れか１項に記載の画像形成システム。
【請求項７】
前記制御部は、分冊冊子を作成する場合に、複数の分冊冊子を作成すると共に、先頭の分冊冊子の表紙として、前記第１の表紙収容手段に収容される原冊子用の表紙を用いるように制御することを特徴とする請求項１乃至６の何れか１項に記載の画像形成システム。
【請求項８】
前記制御部は、分冊冊子を作成する場合に、複数の分冊冊子を作成すると共に、最終の分冊冊子の表紙として前記第１の表紙収容手段に収容される原冊子用の表紙を用いるように制御することを特徴とする請求項１乃至７の何れか１項に記載の画像形成システム。
【請求項９】
前記制御部は、分冊冊子を作成する場合に、後行程の合冊作業を補助するための情報を分冊冊子の表紙の背表紙部に画像形成するように制御することを特徴とする請求項１乃至８の何れか１項に記載の画像形成システム。
【請求項１０】
前記制御部は、分冊冊子を作成する場合に、後行程の合冊作業を補助するための情報を前記第２のシート収容手段に収容される表紙の背表紙部の内面に画像形成するように制御することを特徴とする請求項１乃至９の何れか１項に記載の画像形成システム。
【発明の詳細な説明】
【技術分野】
【０００１】
本発明は、複数枚のシートを集積してシート束とし、シート束の背部と表紙を接着剤により接合させて冊子を作製する画像形成システムに関するものである。
【背景技術】
【０００２】
複写機やプリンタ等で画像を形成した複数枚のシートを簡易的に製本処理する画像形成システムが知られている。この画像形成システムにおける一般的な製本処理の概要を説明すると、まず画像を形成した複数枚のシートを集積・整合して本身用シート束とする。次にシート束の背部に糊等の接着剤を塗布する。そして表紙を搬送させて所定位置に停止させ、表紙の背表紙部をシート束の背部に接合する。このような手順で複数枚のシートと表紙が一体となったくるみ製本冊子が作製される。
【０００３】
こような製本装置では、製本処理の能力を超えるようなシート束の厚みの製本ジョブが要求された場合、次のような対処する技術が提案されている。
【０００４】
特許文献１に記載の技術は、処理すべきジョブが所定枚数を超える場合に、処理すべきジョブ（シートに対する糊付け処理）を禁止するという技術である。
【０００５】
特許文献２に記載の技術は、週刊誌（中綴じまたは中折りのステープル）タイプの製本システムではあるが、処理すべきジョブが所定枚数以上の複数のシートを必要とするジョブである場合に自動的に分冊製本処理を行うという技術である。
【特許文献１】特開２００５−３２１７５７号公報
【特許文献２】特開２００３−２３１３７６号公報
【発明の開示】
【発明が解決しようとする課題】
【０００６】
印刷されるシート束の厚みあるいは枚数がくるみ製本装置の能力を超えた製本ジョブが指定された場合に、単に製本ジョブを禁止するだけでなく、ユーザーによる後行程の作業で簡易且つ間違いなく所望の冊子が製作できるような分冊冊子が自動的に作成されるような画像形成システムが望まれていた。
【０００７】
特許文献１に記載の技術は、ユーザーは所望の冊子を断念するか、能力の高い他の装置で処理するしか手立てがなく上記要望に応えていない。
【０００８】
特許文献２に記載の技術は、週刊誌タイプ製本システムではあるが、能力を超えた製本ジョブに対して複数の冊子に自動的に分冊したり、分冊後の冊子を手作業で合冊することが提案されており、その点で優れている技術であると言える。
【０００９】
ところが、くるみ製本冊子を作成する製本装置を利用してどのような形態で分冊するのか、更にユーザーの指定した表紙に分冊冊子を合冊する適した形態について全く提案されていない。例えば、先の分冊冊子の裏表紙と後の分冊冊子の裏表紙とを単に糊で貼り合わせることが記載されているが、両冊子を貼り合わせたシートは甚だ硬くなり、また用紙面の波打ち等も生じ、ユーザーが所望するシートと異なり、手作業で仕上げた合冊冊子はユーザーが希望する冊子とは甚だかけ離れたものになるという課題があった。
【００１０】
そこで、本発明の目的は、製本処理の能力を超えたシート枚数の製本ジョブに対し、ユーザーが後工程の簡単な合冊作業をするだけで所望の冊子が作成できるような形態で複数の分冊冊子を自動的に作成する画像形成システムを提供することにある。
【課題を解決するための手段】
【００１１】
前記目的は、下記記載した発明により達成される。
１．複数のシートからなるシート束の背部に表紙を糊付けして冊子を作成する製本装置と、前記シート又は前記表紙に画像を形成する画像形成装置と、前記シートを収容するシート収容手段と、原冊子用の表紙を収容する第１の表紙収容手段と、分冊冊子用の表紙を収容する第２の表紙収容手段と、冊子を作成するための一連の処理及び動作を制御する制御部と、を備える画像形成システムにおいて、
前記制御部は、冊子を作成するジョブを実行する際に、当該ジョブにより作成しようとする冊子の背表紙幅、あるいは冊子のシート枚数を所定値と比較し、前記背表紙幅、あるいは前記シート枚数が所定値以下であると判定した場合は、前記シート収容手段に収容されたシートと前記第１の表紙収容手段に収容された原冊子用の表紙を用いて冊子を作成し、前記背表紙幅、あるいは前記シート枚数が所定値を超えると判定した場合は、前記シート収容手段に収容されたシートと前記第２の表紙収容手段に収容された分冊冊子用の表紙を用いて、前記ジョブにより作成しようとする冊子を分冊した分冊冊子を作成するべく、前記一連の処理及び動作を制御することを特徴とする画像形成システム。
２．前記背表紙幅は、前記シート収容手段に収容されたシート１枚の厚さと前記ジョブにより作成しようとする冊子１部あたりのシート枚数を積して得られた値であることを特徴とする１に記載の画像形成システム。
３．前記第２の表紙収容手段は複数設置されており、
前記制御部は、複数の前記第２の表紙収容手段に収容される分冊冊子用の表紙に関する情報及び前記シート収容手段に収容されるシートに関する情報に基づき、前記シート収容手段に収容するシートと給紙方向の幅が等しく、且つ給紙方向の長さが所定値以上である分冊冊子用の表紙を収容する第２の表紙収容手段を選定し、当該第２の表紙収容手段に収容された分冊冊子用の表紙を用いて、分冊冊子を作成するように制御することを特徴とする１、又は２に記載の画像形成システム。
４．前記第２の表紙収容手段は複数設置されており、
前記制御部は、複数の前記第２の表紙収容手段に収容される分冊冊子用の表紙に関する情報及び前記シート収容手段に収容されるシートに関する情報に基づき、前記シート収容手段に収容するシートと種別の同一である分冊冊子用の表紙を収容する第２の表紙収容手段を選定し、当該第２の表紙収容手段に収容された分冊冊子用の表紙を用いて分冊冊子を作成するように制御することを特徴とする１乃至３の何れか１に記載の画像形成システム。
５．前記制御部は、分冊冊子を作成する場合に、前記第２の表紙収容手段に収容される分冊冊子用の表紙に本文ページデータを画像形成するように制御することを特徴とする１乃至４の何れか１に記載の画像形成システム。
６．前記制御部は、分冊冊子を作成する場合に、複数の分冊冊子を作成すると共に、前記第１の表紙収容手段に収容される原冊子用の表紙に表紙ページデータが画像形成された合冊用の表紙を作成するように制御することを特徴とする１乃至５の何れか１に記載の画像形成システム。
７．前記制御部は、分冊冊子を作成する場合に、複数の分冊冊子を作成すると共に、先頭の分冊冊子の表紙として、前記第１の表紙収容手段に収容される原冊子用の表紙を用いるように制御することを特徴とする１乃至６の何れか１に記載の画像形成システム。
８．前記制御部は、分冊冊子を作成する場合に、複数の分冊冊子を作成すると共に、最終の分冊冊子の表紙として前記第１の表紙収容手段に収容される原冊子用の表紙を用いるように制御することを特徴とする１乃至７の何れか１に記載の画像形成システム。
９．前記制御部は、分冊冊子を作成する場合に、後行程の合冊作業を補助するための情報を分冊冊子の表紙の背表紙部に画像形成するように制御することを特徴とする１乃至８の何れか１に記載の画像形成システム。
１０．前記制御部は、分冊冊子を作成する場合に、後行程の合冊作業を補助するための情報を前記第２のシート収容手段に収容される表紙の背表紙部の内面に画像形成するように制御することを特徴とする１乃至９の何れか１に記載の画像形成システム。
【発明の効果】
【００１２】
本発明に係る画像形成システムによれば、製本処理の能力を超えたシート枚数の製本ジョブに対し、所望の表紙の合冊冊子を容易に作成することを可能にする複数の適切な冊子、あるいは合冊表紙を自動的に分冊して出力することが出来る。
【発明を実施するための最良の形態】
【００１３】
図１は、画像形成システムの中央断面図である。
【００１４】
本発明に係る画像形成システムは画像形成装置Ａ及び製本装置Ｂを有する。
【００１５】
画像形成装置Ａは電子写真方式により用紙に画像を形成するものであり、画像形成部Ａ１、原稿搬送部Ａ２、及び画像読取部Ａ３を有する。画像形成部Ａ１において、ドラム状の感光体１の周囲に帯電装置２、露光装置３、現像装置４、転写装置５Ａ、分離装置５Ｂ及びクリーニング装置６が配置されており、帯電、露光、現像及び転写の各プロセスが実行され、シートＳ１、原冊子用の表紙Ｓ２にトナー像が形成される。製本された場合に原冊子用の表紙Ｓ２にくるまれるシートＳ１は上段給紙トレイ７Ａに収納されており、原冊子の表紙Ｓ２は下段給紙トレイ７Ｄと製本装置Ｂの表紙収納部８０に収納されている。その他に分冊冊子用の表紙Ｓ３を収容する中段上給紙トレイ７Ｂ、中段下給紙トレイ７Ｃが備わっている。給紙トレイ７ＡからシートＳ１が、給紙トレイ７Ｂ及び７Ｃから分冊冊子用の表紙Ｓ３が、給紙トレイ７Ｄから原冊子の表紙Ｓ２が１枚ずつ排出され、画像形成部Ａ１へ搬送される。トナー像が転写されたシートＳ１、原冊子用の表紙Ｓ２、分冊冊子用の表紙Ｓ３は定着装置８を通過して定着処理される。定着処理されたシートＳ１、原冊子用の表紙Ｓ２、分冊冊子用の表紙Ｓ３は、排紙ローラ５Ｄから画像形成装置Ａの外へ排出される。
【００１６】
なお、本実施形態における画像形成装置Ａは電子写真方式によりシートにモノクロ画像を形成するものであるが、本発明に係る画像形成装置は本実施形態に限定されるものではなく、カラー画像形成装置であってもよいことは勿論のこと、その画像形成方式も電子写真方式以外のどのような画像形成方式であっても構わない。
【００１７】
製本装置Ｂは画像形成装置Ａから送り込まれたシートを複数枚束ねてシート束とし、そのシート束の一端側に表紙を接合して表紙によりシート束をコの字状に覆い、冊子を作製する装置である。製本装置Ｂはシート反転部４０、集積部５０、塗布部６０、シート束に表紙を接合する接合部７０を有し、更に搬送部１０、排紙皿２０、表紙収納部８０、冊子排出部９０を有する。画像形成装置Ａから製本装置Ｂへ搬送されてきたシートＳ１は、搬送部１０に設けられた切り替えゲート１１により、排出路１２を経て排紙皿２０に排出されるか又はシート反転部４０に搬送される。排紙皿２０には、製本装置Ｂにおいて製本しない場合にシートＳ１が排出される。製本装置Ｂにおいて製本処理を実行する場合、シートＳ１は搬送路１３を経てシート反転部４０に搬送され、シート反転部４０においてスイッチバックした後に、集積部５０に搬送される。集積部５０において設定枚数のシートＳ１が集積され、シートＳ１が設定枚数に達すると集積部５０が回転し、シートＳ１の束がほぼ垂直状態で保持される。そしてシートＳ１の束の背部である下面に塗布部６０によって接着剤が塗布され、接合部７０においてシートＳ１の束に画像形成装置Ａから製本装置Ｂへ搬送されてきた原表紙Ｓ２あるいは分冊用の表紙Ｓ３が接触し接着される。シートＳ１の束に原冊子用の表紙Ｓ２あるいは分冊用の表紙Ｓ３が接着されて作成された冊子Ｓ４は本排出部９０に排出される。
【００１８】
なお、図１には示していないが、製本処理を行いたいシートをセットする給紙トレイを製本装置Ｂに設け、製本装置Ｂ単体で動作させて冊子Ｓ４を作製する態様も考えられる。
【００１９】
図２は画像形成システムにおける制御系のブロック図であり、ここでは代表的なものだけ示す。
【００２０】
画像形成装置Ａには通信部１０８よりネットワーク上の情報処理端末装置Ｃと接続され、製本装置Ｂとはバスで直接的に接続されている。
【００２１】
制御部として機能するＣＰＵ（Ｃｅｎｔｒａｌ  Ｐｒｏｃｅｓｓｉｎｇ  Ｕｎｉｔ）１０１は画像形成装置Ａ全体の動作を制御するものであり、ＲＯＭ（Ｒｅａｄ  Ｏｎｌｙ  Ｍｅｍｏｒｙ）１０２やＲＡＭ（Ｒａｎｄｏｍ  Ａｃｃｅｓｓ  Ｍｅｍｏｒｙ）１０３等に接続されている。このＣＰＵ１０１は、ＲＯＭ１０２に格納されている各種制御プログラムを読み出してＲＡＭ１０３に展開し、各部の動作を制御する。また、ＣＰＵ１０１は、ＲＡＭ１０３に展開したプログラムに従って各種処理を実行し、その処理結果をＲＡＭ１０３に格納する。そして、ＲＡＭ１０３に格納した処理結果を所定の保存先に保存させる。ビットマップメモリ１０７はページ単位で印刷のための画像データを展開するメモリである。画像読取部Ａ３は原稿を走査して画像データを生成し、外部へ出力する部分であり、出力データは図示されていない画像圧縮部で符号化された後に画像メモリ１０６に格納される。画像形成部Ａ１は、展開された印刷ページ用の画像データをビットマップメモリから順次読出し電子写真方式でシートＳ１、及び原冊子用の表紙上にトナー画像を形成している。
【００２２】
製本装置ＢにおけるＣＰＵ２０１は製本装置Ｂの全体の動作を制御するものであり、画像形成装置ＡのＣＰＣ１０１との間で製本ジョブに関する情報、あるいはジョブ処理のステータスに関する情報を交換するためのデータ通信が常時行われる。ＣＰＵ２０１は、ＲＯＭ２０２に格納されている各種制御プログラムを読み出してＲＡＭ２０３に展開し、画像形成装置Ａからの受信した製本ジョブに関する情報に基づき所定の製本処理の動作モードを設定し、ステータスに関する情報に基づき塗布部６０や接合部７０等の各部が所定のタイミングで所定の動作を行うように制御する。
【００２３】
図３は製本装置Ｂの正面断面図である。
【００２４】
搬送路１３において搬送されるシートＳ１は、排紙ローラ１４、搬送ローラ４０１を経て一旦反転ガイド４０２に排出される。反転ガイド４０２上に排出されたシートＳ１は整合部材４０３によって搬送方向とは直交する方向に整合され、ストッパ４０４の作動によって一時的に集積される。ストッパ４０４は実線の位置と点線の位置との間で動作可能である。先行のシートＳ１の束が集積部５０にある間、ストッパ４０４が点線の位置に移動して、後続のシートＳ１を一時的に反転ガイド４０２上に集積する。集積部５０から先行のシートＳ１の束が搬出された後、ストッパ４０４が実線の位置に移動して一時的に集積したシートＳ１を集積部５０に落下する。この集積部５０は支持板５０２及び受け板５０６を有し、シートＳ１は支持板５０２及び受け板５０６によって傾斜状態で支持される。傾斜状態で支持されるシートＳ１は、押し当て部材５０４によって浮き上がりが抑えられ、整合板５０５によって整合される。そして、保持板５０３が作動してシートＳ１の束を保持し、シートＳ１の束を保持した状態で集積部５０が軸５０１を軸として回転して、シートＳ１の束が傾斜状態から垂直状態になる。
【００２５】
図４はシートＳ１の束に接着剤を塗布する工程を示す。
【００２６】
モータＭ４によって第二の挟持板５０３がシートＳ１に向けて移動し、第二の挟持板５０３がシートＳ１を一定の圧で押圧すると、モータＭ４の駆動トルクの増大を駆動トルク検知センサ（図示せず）で検知して第二の挟持板５０３の移動が停止する。このような構成によりシートＳ１の束が第一の挟持板５０２と第二の挟持板５０３により強固に挟持されるのである。第二の挟持板５０３の移動量はエンコーダ５０９により測定され、ＲＡＭ等の記憶手段に記憶される。
【００２７】
シートＳ１の束が第一の挟持板５０２と第二の挟持板５０３により挟持された段階で、受け板５０６が駆動機構（図示せず）により９０°回転して、図４（ｂ）に示すように退避する。受け板５０６が退避した段階では、シートＳ１の束の下面ＳＡと塗布ローラ６２は接触していない（図４（ｃ）参照）。
【００２８】
次に図４（ｄ）に示すように、接着剤６３が収容されている塗布部６０が上昇して塗布ローラ６２がシートＳ１の束の背部となる下面ＳＡに接着剤６３を介して接触し、塗布部６０がシートＳ１の束の下面ＳＡに沿って移動することによって、接着剤６３がシートＳ１の束の下面ＳＡに塗布される。
【００２９】
製本処理の開始段階では、塗布部６０は図５（ａ）のように初期位置である右端位置にある。この右端位置は製本装置Ｂにおける奥側、つまり図１の紙面奥側である。右端位置には、発光素子６８Ａと受光素子６８Ｂよりなる位置検知センサ６８が設けられている。位置検知センサ６８により塗布部６０の一部が発光子６８Ａと受光素子６８Ｂの間に介在することが検知されると、塗布部６０が初期位置に存在すると判断されるのである。製本処理を開始すると、塗布部６０は右端位置から左端位置（製本装置Ｂの前面方向）へ移動する。この移動は、モータＭ３で駆動されるベルト６７の駆動で行われる。塗布部６０が左端位置に移動する間は、塗布ローラ６２はシートＳ１の束の下面ＳＡから離れている。そして、塗布部６０が左端位置から右端位置に向けて移動する図５（ｂ）の段階で、塗布ローラ６２がモータＭ２の駆動で上昇し、シートＳ１の束の下面ＳＡに接触して接着剤６３が塗布される。塗布ローラ６２は図５（ａ）及び図５（ｂ）の破線に示すような軌跡に沿って移動し、また、塗布ローラ６２はモータＭ１により回転しながらシート束の下面ＳＡに接着剤を塗布する。
【００３０】
図６は原冊子用の表紙Ｓ２の接合工程を示す。
【００３１】
原冊子用の表紙Ｓ２は図１の画像形成装置Ａの下段給紙トレイ７Ｄに収納されており、画像形成装置Ａの排紙口から排出され、図３に示すように、カッター８１により表紙としての適切な長さに裁断され、表紙支持手段７０１上に水平状態で載置される。図６の鎖線で示す表紙支持手段７０１は押圧部材７１、７２、押圧部材７１、７２を駆動するカム７３、７４等の複数の部材で構成される。なお、カッター８１は、シートＳ１のサイズ情報及びシートＳ１の束の厚さの情報に基づいた所定長さで原冊子用の表紙Ｓ２を裁断する。
【００３２】
図３に示すように、原冊子用の表紙Ｓ２は製本装置Ｂの下部に設けられた表紙収納部８０の給紙トレイ８０１にも収納し、送り出しローラ８０２により排出するようにも選択できる。ただし、表紙収容部８０には別の画像形成装置、あるいは画像形成装置Ａで事前に作成された原冊子用の表紙２を予め収容して置くことになる。
【００３３】
図１の画像形成装置Ａの下段給紙トレイ７Ｄに収納されている原冊子用の表紙Ｓ２を利用する場合には原冊子用の表紙Ｓ２上に画像を更に形成することが可能になる、あるいは画像形成しないようにも選択できる。
【００３４】
図６（ａ）は接着剤６３の塗布が完了した状態を示す。図６（ａ）の状態では、表紙支持手段７０１は図３に示すように、シートＳ１の束の下面から離れた下方の位置で原冊子用の表紙Ｓ２を支持している。
【００３５】
次に表紙支持手段７０１はベルト７９Ａ、７９Ｂ（図３参照）により駆動されて上昇し、図６（ｂ）に示す状態となり、原冊子用の表紙Ｓ２がシートＳ１の束の下面ＳＡ、即ち、接着剤塗布面に接触する。なお、表紙押さえ部材７５、７６、７７は表紙支持手段７０１と一緒に上昇し、下降する。従って、図６（ｂ）に示すように、表紙支持手段７０１が上昇した時に表紙押さえ部材７５、７６、７７は原冊子用の表紙Ｓ２を上から押さえており、原冊子用の表紙Ｓ２を平面状態に保持する。
【００３６】
表紙支持手段７０１は図６（ｂ）の位置から更に、数ｍｍ上昇する。この数ｍｍ上昇した位置が図６（ｃ）に示す位置である。押圧部材７１、７２は原冊子用の表紙Ｓ２を左右から押圧し、背表紙と表表紙の境界及び背表紙と裏表紙との境界に角を付与して、原冊子用の表紙Ｓ２をシートＳ１に密着させ、冊子Ｓ３が作製される。
【００３７】
ここでは、ネットワーク上の情報処理端末装置Ｃからくるみ製本ジョブが画像形成システムの画像形成装置Ａに依頼送信された形態で説明する。
【００３８】
図８はくるみ製本の基本的な構成図である。くるみ製本で作成される冊子は、１枚の用紙からなる原冊子用の表紙Ｓ２と、複数の用紙からなるシートＳ１と、から構成される。原冊子用の表紙Ｓ２は１枚の用紙に、表表紙Ｄ４３及び裏表紙Ｄ４５とが面付け処理されて印刷されている。原冊子用の表紙Ｓ２は表表紙（外面）と、表表紙（内面）と、背表紙と、裏表紙（外面）と、裏表紙（内面）と、から構成される。また、ＮページからなるシートＳ１は、シート束として束ねられ背表紙部に糊付けされる。
【００３９】
図９は、くるみ製本ジョブの文書ファイルＤ１７の構成図である。文書ファイルＤ１７は表紙ページデータＤ５１と、本文ページデータＤ５２と、背表紙ページデータＤ５３と、から構成される。表紙ページデータＤ５１は、表表紙（外面と内面の２ページからなる）Ｄ４３と、裏表紙（外面と内面の２ページからなる）Ｄ４５と、から構成される。本文ページデータＤ５２は本文部Ｄ４２から構成される。背表紙ページデータＤ５３は、背表紙Ｄ４４から構成される。図９の文書ファイルＤ１７は、表紙ページデータＤ５１が４ページ、本文ページデータＤ５２がＮページ、背表紙ページデータＤ５３が１ページであり、合計するとＮ＋５ページで構成される。ここで、各ページを表表紙外面Ｐ１、表紙内面Ｐ２、本文Ｐ３・・・本文の最初ページ、本文Ｐ（Ｎ＋２）・・・本文最終ページ、裏表紙内面（Ｎ＋３）、裏表紙外面Ｐ（Ｎ＋４）、背表紙Ｐ（Ｎ＋５）とする。Ｐ１〜Ｐ（Ｎ＋５）は文書ファイルＤ１７のページ番号を示す。また、背表紙は、ページのセンターに配置する。
【００４０】
図１０は、情報処理端末装置Ｃから画像形成装置Ａにくるみ製本（印刷）ジョブを依頼する際に用いられる印刷データＤ７１の構成図である。印刷データＤ７１は文書ファイルＤ１７が画像形成装置Ａで解釈可能なデータに変換されている。印刷データＤ７１は、設定情報Ｄ７２と、画像データＤ７３と、から構成される。設定情報Ｄ７２は、くるみ製本を行う際に必要な設定情報のことである。設定情報Ｄ７２は、くるみ製本設定情報Ｄ７４と、本文印刷設定情報Ｄ７９と、から構成される。くるみ製本設定情報Ｄ７４は、くるみ製本で作成される冊子の設定情報のことである。くるみ製本設定情報Ｄ７４は、製本設定Ｄ７５と、表紙トレイ設定Ｄ７６と、表表紙ページデータ番号設定Ｄ８０と、裏表紙ページ番号設定Ｄ８１と、背表紙ページデータ番号設定Ｄ８２と、背表紙幅設定Ｄ７７と、分冊種別設定Ｄ７８と、から構成される。製本設定Ｄ７５は、くるみ製本を行うか否かの設定情報である。表紙トレイ設定Ｄ７６は、原冊子用の表紙Ｓ２を収容する給紙トレイを指定している。たとえば、上段、中段、下段のようになる。表表紙（外）ページデータ設定Ｄ８０は、表表紙ページデータとして用いる画像データのページデータ番号に相当し、ここではＰ１が指定される。これが指定されない場合は表表紙（外面）として面付けされる画像データが指定されていないことを意味する。同様に裏表紙（外）ページデータ設定Ｄ８２は、うら表紙（外面）として面付けされる画像データのページデータ番号に相当し、ここではＰ（Ｎ＋４）が指定されている。背表紙ページデータ設定Ｄ８４は、背表紙として面付けされる画像データのページデータ番号に相当し、ここではＰ（Ｎ＋５）が指定される。背表紙幅設定Ｄ７７は、背表紙ページの幅の設定情報であり、ここでは５．０（５．０ｍｍ）が指定されている。空白の場合には、情報処理端末装置Ｃの側では背表紙幅を設定しなかったことを意味する。なお、情報処理端末装置Ｃ側で背表紙幅設定が設定されなかった場合には、画像形成装置Ａ側で図７のシート情報を参照して印刷データＤ７１の本文印刷設定情報（紙種と本身枚数）に基づき本文のシート束厚を算出し、印刷データＤ７１の背表紙幅設定Ｄ７７に代入するような処理が行われる。
【００４１】
以上のように、印刷データＤ７１は画像形成装置Ａの印刷処理と製本装置Ｂの製本処理（後処理）に関する全て規定するものであり、形式は必ずしも図１０のような形式でなくともよく、情報処理端末装置Ｃと画像形成装置Ａとの間で同一の形式である必要もない。ひとつのテーブルであってもよく、複数テーブルで関連付けられている形態、データベースのような形態であっても構わない。例えば、画像データのページデータにしても画像メモリ１０６に記憶された画像データの記憶領域（先頭アドレスと最終アドレス）を表すような形態でもよい。この印刷データＤ７１によりくるみ製本ジョブの全て内容を規定しており、例えば表紙、表紙レイアウト、シート、部数、印刷処理等のである。従って、冊子の出力形態を変更するためには印刷データを変更することになる。また、冊子を複数に分割し複数の冊子（分冊冊子）を作成するときにも、複数の新たな印刷データとして分冊印刷データＤ７１ｍ（ｍ＝１，２，３・・）を作成することになる。
【００４２】
図１１は表紙の面付け処理の概念図である。図１１に基づき表紙の面付け処理について以下に説明する。面付け処理とは、印刷データＤ７１で規定された画像データ（ページ）を表紙および本文の各面上に割付配置、印刷画像としてメモリ上にビットマップ展開する処理をいう。面付け処理は、画像形成装置Ａの画像処理部１０６で実行される。画像処理部１０６は、ＣＰＵ１０１から転送された印刷データＤ７１を解釈し、印刷データＤ７１の各設定データに基づき所定画像データ（ページデータ）をビットマップメモリ１０７上の指定領域に順次ビット展開する。図１１の（Ａ）はビットマップ上に作成された表紙外側に対応する画像ページの概念図である。（Ｂ）は表紙内側に対応する画像ページの概念図である。図１１の（Ａ）は、図１０の印刷データＤ７１の表表紙（外）ページデータ設定Ｄ８０および裏表紙（外）ページデータ設定Ｄ８２、背表紙幅設定Ｄ７７で指定された画像データが展開される表紙表側の所定領域を示している。図１１の（Ｂ）は、図１０の印刷データＤ７１の表表紙（内）ページデータ設定Ｄ８１および裏表紙（内）ページデータ設定Ｄ８３で指定された画像データが展開される表紙裏側の所定領域を示している。ここでは背表紙幅設定Ｄ７７が５．０ｍｍである。このように画像処理部によって、予めプログラミングされた処理手順で図１０の印刷データＤ１７の各設定に基づき所望の表紙、および本身の面付処理が順次実行される。
【００４３】
画像形成装置ＡのＣＰＵ１０１の指令により、画像処理部１０６によってビットマップメモリ１０７上に作成された画像データが読み出され、画像形成部Ａ１に転送される。ＣＰＵ１０２は画像形成部Ａ１に対し転送された画像データを所定のタイミングで給紙部７Ａから搬送される原冊子用の表紙Ｓ２上、あるいはシートＳ１上にトナー像を形成するように制御している。
【００４４】
図１２は、情報処理端末装置Ｃにおける印刷（製本）ジョブ設定画面の図である。図１３は、くるみ製本の詳細設定画面の図である。
【００４５】
図１２は本文ファイルの印刷ジョブを設定する印刷設定画面であり、印刷種別（片面／両面）の設定、原稿サイズの設定、出力サイズの設定、給紙トレイの設定、製本（Ｂ）の設定のなかにくるみ製本設定のトグルスイッチがある。くるみ製本設定がトグルスイッチが選択されるとくるみ製本ジョブが設定されると共、“くるみ詳細”のボタンが有効となる。“くるみ詳細”のボタンが押下げられると、図１３のくるみ表紙設定画面がポップアップ表示される。
【００４６】
図１３のくるみ表紙設定画面について以下説明する。上部は図１２の印刷ジョブ設定画面で設定された本文ファイルの印刷設定に関する内容を確認させるための印刷設定表示部である。下部はくるみ表紙設定部であり、くるみ表紙に関する詳細を設定するための領域である。表紙設定部および表紙種別表示部、背表紙幅設定部、表表紙ファイル設定部、裏表紙ファイル設定部、背表紙ファイル設定部、分冊種別設定部で構成される。表紙設定部は通常有が設定され、有の場合には画像形成装置Ａの下段給紙トレイ７Ｄに収容されている原冊子用の表紙Ｓ２が使用される。そして製本装置Ｂの表紙収容部８０に収容された原冊子用の表紙Ｓ２を使用する場合は、無を設定することになる。表紙設定部において有、あるいは無が設定されるとその設定に対応して表紙設定表示部に給紙トレイおよびサイズ、用紙名称（紙種、斤量）等が表示される。所望の表紙がセットされていない場合に、ユーザーは画像形成装置Ａに行き、下段給紙トレイ７Ｄに装填されている原冊子用の表紙を所望の原冊子用の表紙に装填換えすると共に、画像形成装置Ａの操作表示部１０５で新しく装填した原冊子用の表紙に関する情報を設定する。この変更された設定内容は、ただちに図１３の表紙設定表示部の表示に反映するようになっている。
【００４７】
その下に背表紙幅を設定する背表紙設定部があり、ユーザーが正確に背表紙幅を事前に把握している場合にその数値を設定できるようになっている。ユーザーによる背表紙幅の設定が入力されない場合には、画像形成装置側で情報処理端末装置Ｃから受信したくるみ製本ジョブの印刷データＤ７１に基づき本文印刷シート束の厚みが判定され、印刷データＤ７１に代入されるようになっている。
【００４８】
その下に表表紙ファイル設定部、およびうら表紙ファイル設定部、背表紙ファイル設定部はそれそれが同じようにネットワーク上、あるいは情報処理端末装置Ｃの所定フォルダに格納されている印刷ファイルを選択し指定できるようになっており、ここでは表表紙画像として“ＦｒｏｎｔＮｏ．１．ｐｄｆ”の名称のファイルが設定され、裏表紙画像として“ＲｅａｒＮｏ．１．ｐｄｆ”の名称のファイルが設定され、背表紙画像として“ＢａｃｋＮｏ．１．ｐｄｆ”の名称のファイルが設定されている。表表紙（内面）の画像、及び裏表紙（内面）はこの設定画面では省略されているが、設けるようにしても構わない。
【００４９】
その下に分冊種タイプの設定部があり、ユーザーの希望する３つのタイプがここでは選択できるようになっている。本発明に関係するところの、分冊タイプ（分冊種別設定  ３つの形態）について詳しく以下説明する。
【００５０】
図１４は先頭合冊の分冊形態を示した図である。複数の分冊冊子のうち、最初の冊子だけがシート束（請求項のシート収容手段に収容されるシートからなるシート束に相当する）に原冊子用の表紙（ユーザーの指定した本来の表紙・・・請求項の第１の表紙収容手段に収容される原冊子用の表紙に該当する）を糊付け処理する。残りの冊子は分冊冊子用の表紙（請求項の第２の表紙収容手段に収容される分冊冊子用の表紙に該当する）を糊付け処理する。そして、残りの冊子の表紙（表表紙と裏表紙）には外面と内面に渡り本文の最初２ページとラストの２ページが面付け処理される。複数に分冊された冊子は、順次画像形成システムの製本装置Ｂから排紙トレイ９０に排出され積まれる。ユーザーは、排出された先頭の分冊冊子の背表紙部（原冊子用の表紙の背表紙部）の内面に刷毛等で糊を塗布した後に残りの冊子の背表紙を糊塗布部に押付ける作業を行うだけで簡単にユーザーの所望する原冊子を作成することが可能になる。また、合冊用の背表紙の裏側には各分冊が所定に位置に間違うことなく糊付けされるような糊付け位置情報、あるいは原冊子用の表紙に糊付けを施す前に背表紙境界部に正確な折りを入れるための折り位置情報が面付け処理されて印刷されるように仕組まれている。それぞれの分冊冊子用の表紙の表背表紙には、合冊する際に正確、且つ的確に原冊子用の表紙のうら背表紙に糊付けできるような情報（ガイド文書、マーク）が自動的に印刷されるようにプログラミングされている。ユーザーはこれらの情報の指示に基づき、分冊冊子を合冊表紙の背表紙部へ間違いなく、正確に設定できる。
【００５１】
図１５は最終合冊の分冊形態を示した図である。分冊される複数の冊子のうちの最後の冊子はシート束が原冊子用の表紙でくるみ製本に処理され、残り２冊の分冊は分冊冊子用の表紙でくるみ製本に処理され、製本装置Ｂから排紙トレイ９０に順次排出され積載され、最初の冊子から順に所定部数分づつ排紙トレイ９０上に積み重ねられる。
【００５２】
図１６は非合冊の分冊形態を示した図である。分冊された複数の冊子と合冊用の表紙が別体で順次画像形成システムの製本装置Ｂから排紙トレイ９０に排出され、最初の冊子から順に所定部数分づつ排紙トレイ９０上に積み重ねられる。
【００５３】
先頭合冊の分冊形態と同様に、合冊用の背表紙の裏側には糊付け位置情報、あるいは原冊子用の表紙に糊付けを施す前に背表紙境界部に正確な折りを入れるための折り位置情報が面付け処理されて印刷されるように仕組まれている。それぞれの分冊冊子用の表紙の表背表紙にガイド文書及びマーク等の情報が自動的に印刷されるようにプログラミングされている。ユーザーはこれらの情報の指示に基づき、分冊冊子を合冊表紙の背表紙部へ間違いなく、正確に設定できる。
【００５４】
図１２及び図１３の画面の説明に戻るが、図１２および図１３の画面において“ＯＫ”ボタンが押下げられると、くるみ製本ジョブの設定が完了する。
【００５５】
くるみ製本ジョブ設定に基づき図１０で説明した印刷データＤ７１が作成されると、同時に印刷データＤ７１はネットワークを介して画像形成装置Ａへ送信され、くるみ製本ジョブは画像形成装置Ａに依頼される。
【００５６】
ネットワークを介して情報処理端末装置Ｃからくるみ製本ジョブＪ０１が受信されると、画像形成装置Ａでは、ＣＰＵ１０１によってジョブＪ０１と対応付けられて印刷データＤ７１は一旦不揮発ＲＡＭ１０４に格納され、ジョブＪ０１は所定印刷キューに予約される。ＣＰＵ１０１は、ジョブＪ０１の製本処理開始指令に応じて印刷データＤ７１のチェック処理並び分冊印刷データ作成処理を実行する。
【００５７】
図２１は、上記処理のフローチャートであり、以下に説明する。
【００５８】
不揮発ＲＡＭ１０４よりジョブＪ０１の印刷データＤ７１を読み出し（ステップＳ１０１）、つぎにステップＳ１０２へ移り印刷データＤ７１の背表紙幅設定Ｄ７７が有るか無かを判定する。無の場合にはステップＳ１０３へ移り、シート束厚み判定処理を行う。つぎにステップＳ１０４へ移行し、得られたシート束の厚みの情報は印刷データＤ７１の背表紙幅設定Ｄ７７に代入される。厚み判定処理は、例えば、印刷データＤ７１のシート情報を図７のような用紙厚表と参照して得られたシート厚とシート枚数との積からシート束の厚さを求めるような処理である。このようにくるみ製本ジョブに関する一連の印刷製本処理を実行する前に印刷データＤ７１の各設定をチェックし、印刷データＤ７１の不備な点を修正するような制御を行っている。
【００５９】
図２１のステップＳ１０５以降は、印刷データＤ７１に基づき分冊要否判定処理のフローチャートである。分冊要否判定処理を説明する。ＣＰＵ１０１によって以下の条件に基づき分冊処理要否の判定処理と分冊製本ジョブの設定処理が実行される。
【００６０】
ステップＳ１０５では、背表紙幅Ｄ（ｍｍ）が所定値（例  ３３ｍｍ）を超えるか否か判定している。Ｎｏの場合（すなわち、背表紙幅が所定値以下であると判定された場合）にはステップ１０６へ移行し、Ｙｅｓの場合（すなわち、背表紙幅が所定値を超えると判定された場合）はステップＳ１０７へ移行する。ステップＳ１０６では、シートＳ１の紙種が上質紙または塗工紙でありシート枚数が所定値（例  １５０枚）を超えるか否か、あるいはシートが普通紙でありシート枚数が３００枚を超えるか否かの判定している。ここでもＮｏの場合（すなわち、シート枚数が所定値以下であると判定された場合）にはステップＳ１１０へ移行し、Ｙｅｓの場合（すなわち、シート枚数が所定値を超えると判定された場合）にはステップＳ１０７へ移行する。
【００６１】
つぎにステップ１０７及びステップＳ１０８は分冊種別設定Ｄ７８を確定する処理である。ユーザーが分冊種別設定を設定していない場合、予め責任者が登録した分冊種別が自動的に設定されるようになっている。この事例では非合冊の分冊形態が登録される。従って、ステップＳ１０７がＹｅｓの場合、すなわち分冊種別設定Ｄ７８が空白データの場合には、ステップＳ１０８へ移り、空白データに代えて予め責任者等によって登録されている分冊種別が自動的に代入される。ステップＳ１０７がＮｏの場合には、ステップ１０９へ移行する。ステップＳ１０９は、印刷データＤ７１から分冊印刷データを自動的に作成する行程である。ここでは、分冊種別設定Ｄ７８が確定され、くるみ製本ジョブＪ０１が複数のくるみ分冊製本ジョブＪ０１ｍに分割され、各ジョブＪ０１ｍに対応する印刷データＤ７１ｍが新たに構築される。ｍは分冊冊子ナンバーである。
【００６２】
図２２は、図１７に製本ジョブの印刷データＤ７１から分冊印刷データＤ７１ｍを自動的に作成するフローチャートである。
【００６３】
図１７は、くるみ製本ジョブＪ１の印刷データＤ７１の一例である。Ｄ７１の主要な設定は、本文印刷設定情報Ｄ７９の関係では、給紙トレイ設定が上段（上質紙収容）であり、印刷種類設定が両面であり、本文ページ数が５００ページである。くるみ製本設定情報Ｄ７５の設定では、製本設定Ｄ７５が有であり、表紙トレイ設定Ｄ７６が下段給紙トレイ（用紙名称  しらいお）であり、背表紙幅設定Ｄ７７が６０．６ｍｍであり、分冊種別設定Ｄ７８が非合冊である。
【００６４】
ここでは、図１７の印刷データに基づき自動的に作成された各分冊製本ジョブＪ０１ｍの分冊印刷データＤ７１ｍについて説明する。
【００６５】
製本装置Ｂの背表紙幅の分冊基準は３３ｍｍであり、ここでは、分冊種別設定Ｄ７８が“非合冊”形態であり、冊子は２冊に分冊され、更に原冊子用の表紙に対し印刷・裁断の処理を実行するジョブを加えると分冊製本ジョブ数は３になる。製本ジョブＪ１は分冊製本ジョブＪ１１、Ｊ１２、Ｊ１３に分割され、上記各ジョブに対応する印刷データ印刷データＤ７１１、Ｄ７１２、Ｄ７１３であり、図１８、図１９、図２０に示す。
【００６６】
処理１（ステップＳ２０１）；各分冊に対する本文の割り当ては用紙枚数が可能な限り等しくなるようにする。例えば、印刷データＤ７１の印刷種別が両面である場合には本文総ページ数が奇数の場合には最後に白ページを追加する。その後に分冊数に応じて均等に分割され、余りのページは最後の分冊へ加えられる。分冊数は、分冊冊子の厚さが所定値を超えない範囲で最小の整数がである。合冊種別設定Ｄ７８が“非合冊”の場合には合冊表紙も１冊としてカウントするので、分冊製本ジョブ数は分冊冊子数＋１となる。
【００６７】
処理２（ステップＳ２０２、ステップＳ２０３  その１）；分冊の表紙の種別はシートの種別と一致させるために一致する給紙トレイがあるか否か判定する。一致する給紙トレイが存在しない場合（ステップＳ２０２がＹｅｓの場合）、ステップＳ２０３へ移行し、所望の種別を所定給紙トレイへ装填させるような警告を出力する。一致するまで処理は中断する。ただし、上記種別は多種多様な紙（種類、名称、斤量）を複数に分類されたグループを意味しており、グループ構成は責任者によって予め登録できるようになっている。
【００６８】
また、分冊種別設定Ｄ７８として“先頭合冊”が設定されている場合は、先頭分冊の表紙用の給紙トレイは、表紙トレイ設定Ｄ７６１に印刷データＤ７１の表紙トレイ設定Ｄ７６で設定された給紙トレイ（請求項の第１の表紙収容手段）が自動的に代入されることにより、設定される。同様に、分冊種別設定Ｄ７８として“最終合冊”が設定されている場合は、最終分冊の表紙用の給紙トレイは、表紙トレイ設定Ｄ７６Ｍ（Ｍは最終番目を表す）に印刷データＤ７１の表紙トレイ設定Ｄ７６で設定された給紙トレイ（請求項の第１の表紙収容手段）が自動的に代入されることにより、設定される。
【００６９】
処理３（ステップＳ２０２、ステップＳ２０３  その２）：製本装置Ｂのカッター８１が表紙を幅方向に裁断するタイプであり、表紙サイズは幅方向が本文の用紙のサイズと一致、長さ方向が本部用紙の２倍より分冊用紙束厚以上に長いサイズであるシートを収容する給紙トレイが存在するか否かを判定する。一致する給紙トレイが存在しないな場合には所望のサイズの原冊子用の表紙を給紙トレイへ装填するように警告を出力し、一致するまで処理を中断させる。
【００７０】
処理４（ステップＳ２０４）：一致する給紙トレイが判明すると分冊印刷データＤ７１ｍの表紙トレイ設定Ｄ７６ｍに一致した給紙トレイが代入され、Ｄ７６ｍが確定する。
【００７１】
上述処理２から４は、請求項３及び請求項４の実施態様であり、後工程で合冊して製作した冊子は分冊冊子のつなぎ合わせた部分で紙種及び寸法も揃うことになり、仕上がり品位も損なわれず、ユーザーは希望品位の冊子を手にすることが出来る。
【００７２】
ステップ２０６は、第ｍ番目の分冊製本ジョブの分冊印刷データＤ７１ｍの作成行程であり、この分冊印刷データＤ７１ｍを図１８（第１番目の分冊製本ジョブ）及び図１９（第２番目の分冊製本ジョブ）に示す。この行程で分冊冊子の本文に使用される、すなわちシートに印刷される最初ページデータ設定及びラストページデータ設定が入力される。図１８にはＰ５、Ｐ２５０が設定、図１９にはＰ２５３、Ｐ５００が設定される。Ｄ７１ｍには分冊冊子の表表紙の外面及び内面と裏表紙の内面及び外面には本文ページデータの最初２ページと最終２ページが面付き処理されるように表表紙（外）ページデータＤ８０ｍ、裏表紙（内）ページデータ設定Ｄ８１ｍ、裏表紙（外）ページデータ設定Ｄ８２ｍ、裏表紙（内）ページデータ設定Ｄ８３ｍに本文ページ番号が設定される。図１８のＤ８０１にＰ３、Ｄ８１１にＰ４、Ｄ８２１にＰ２５２、Ｄ８３１にＰ２５１の本文ページデータが設定されている。そして図１９のＤ８０２にＰ２５３、Ｄ８１２にＰ２５４、Ｄ８２２にＰ５０２、Ｄ８３２にＰ５０１が設定される。
【００７３】
そして、背表紙ページデータ設定Ｄ８４ｍには、分冊冊子の背表紙に合冊作業を支援する情報（マーク、テキスト）を表す情報（責任者によって第ｍ番目の分冊冊子に対応付けて画像形成装置に登録された画像データを示す名称）が自動的設定される。図１８ではＤ８４１に“分冊Ｎｏ．１”の名称の画像データ、図１９ではＤ８４２に“分冊Ｎｏ．２”の名称の画像データが自動的に設定される。更に背表紙設定Ｄ７７ｍも１／分割数に設定される。図１８ではＤ７７１に３０．３ｍｍ、図１９ではＤ７７２に３０．３ｍｍが自動的に設定されている。
【００７４】
この画像データは、本画像形成システムから排出された複数の分冊冊子を後行程で合冊する作業においてミスの防止および製本品位の向上を支援する文字情報あるいはマーク情報が分冊表紙の背表紙（外面）に面付けされる画像データである。
【００７５】
このステップによって後工程で合冊する際に生じる製本品位の低下と合冊ミスが防止できる（請求項９の実施態様）。
【００７６】
ステップＳ２０７へ移行し、ここでステップ２０６で自動作成された分冊印刷データが分冊製本ジョブに対応付けて不揮発ＲＡＭへ格納される。これらの処理は分冊数分繰り返し、ステップ２０９へ移る。
【００７７】
ステップ２０９は非合冊の形態における原冊子用の表紙を作成するための分冊印刷データＤ７１ｍであり、図２０のＤ７１３に示す。図２０では、表表紙（外）ページデータＤ８０３にＰ１、裏表紙（内）ページデータ設定Ｄ８１３にＰ２、裏表紙（外）ページデータ設定Ｄ８２３にＰ５０３、裏表紙（内）ページデータ設定Ｄ８３３にＰ５０３、背表紙（外）ページデータ設定Ｄ８４３にＰ５０５が自動的に設定される。
【００７８】
更に背表紙（内）ページデータ設定Ｄ８５３に“合冊背内Ｎｏ．１．ｊｐｅｇ”の画像データが自動的に設定される。この画像データは、本画像形成システムから排出された複数の分冊冊子を後行程で原冊子用の表紙に糊付けする作業においてミスの防止および製本品位の向上を支援する文字情報あるいはマーク情報が合冊表紙の背表紙（内面）に面付けされる画像データである。
【００７９】
ステップ２０９によって後工程で合冊する際に生じる製本品位の低下と合冊ミスが防止できる（請求項１０の実施態様）。
【００８０】
図２２にフローチャートで示すように上記のような処理を経て自動作成された各分冊製本ジョブの分冊印刷データＤ７１ｍは分冊製本ジョブと対応付けて不揮発メモリ１０６に格納され、分冊製本ジョブの印刷開始を待機する。
【００８１】
図１８は、図１７の印刷データＤ７１で基づき作成された第１の分冊製本ジョブの分冊印刷データＤ７１１である。くるみ製本設定情報において、表紙設定トレイ設定Ｄ７６２；中段段給紙トレイ７Ｃ（第２の表紙収容手段）と、背表紙ページデータ設定Ｄ８４１；分冊Ｎｏ．１と設定されている。分冊冊子の表紙として中段下給紙トレイ７Ｃ（第２の表紙収容手段）に収容された分冊冊子用の表紙を使用すること、分冊表紙の背表紙（外面）に面付けされる画像として分冊Ｎｏ．１の画像データを使用することを自動的に指定している。
【００８２】
印刷データＤ７１１は、分冊冊子用の表紙として中段下給紙トレイ７Ｃに収容された分冊冊子用の表紙を使用し、画像処理部１０６に対し分冊表紙の背表紙部に分冊Ｎｏ．１に対応する画像データを画像メモリ１０６から読み出し面付け処理することを指示している。
【００８３】
図１９は、第２の分冊製本ジョブの分冊印刷データＤ７１２である。印刷データＤ７１２は、分冊冊子の表紙として中段下給紙トレイ７Ｃ（第２の表紙収容手段）に収容された分冊冊子用の表紙を使用し、画像処理部１０６に対し画像メモリ１０９の所定領域に格納されている分冊Ｎｏ．２のデータを分冊表紙の背表紙部に面付け処理することを指示している。
【００８４】
図２０は分冊印刷データＤ７１３である。本文印刷設定情報Ｄ７９３には、ページ数；０  と、本文第１ページデータ設定；無  と、本文ラストページデータ設定；無  と設定されており、くるみ製本設定情報Ｄ７４３には、製本設定Ｄ７５；表紙作成  と自動的に設定されている。これらは、ＣＰＵ１０１に対し表紙のみを印刷し製本装置Ｂへ排出しすることを指示していると共に、製本装置ＢのＣＰＵ２０１に対しくるみ製本は行わず原冊子用の表紙を所定位置で裁断し、排紙トレイへ排出することを指示している。
【００８５】
図１７の印刷データＤ７１の分冊種別設定Ｄ７８が先頭合冊、あるいは最終合冊に設定されている場合にも、同様に印刷データＤ７１１、Ｄ７１２が自動作成されることになるが、ここでは省略する。
【００８６】
図２３は通常のくるみ製本印刷及び分冊のくるみ製本印刷を含む全印刷製本処理のフローチャートである。
【００８７】
画像形成システムでは図２３のフローチャートの手順に従い印刷製本処理が実行される。ある製本ジョブについて印刷開始の指令を受ける（Ｓ３０１）とそのジョブに対応する印刷データＤ７１を不揮発メモリ１０４から読み出し印刷データＤ７１をチェックし不備を修正して不揮発メモリ１０４へ格納する。（Ｓ３０２）次に、前述した処理により分冊要否を判断する。（Ｓ３０３）不要の場合には印刷データＤ７１で定まる一連の印刷及び製本処理が実行され所定部数のくるみ製本冊子が完成する（Ｓ３０４）。分冊の必要な場合には各分冊製本ジョブの分冊印刷データＤ７１が作成され、分冊製本ジョブナンバーに対応付けられて不揮発メモリ１０４へ格納される。（Ｓ３０５）第１分冊製本ジョブから分冊印刷データＤ７１ｍに定まる一連の印刷及び製本処理が実行され所定部数の第１冊目のくるみ製本分冊冊子が排出される（Ｓ３０７）。Ｓ３０７が分冊数Ｍくりかえされて（Ｓ３０８、Ｓ３０９、Ｓ３０７）、合冊用の分冊冊子、あるいは合冊表紙が所定の部数分完成する。
【００８８】
以上の説明してきたような画像形成システムを利用することにより、ユーザーから製本装置Ａの製本能力を超える、背表紙幅のくるみ製本ジョブが依頼されたとしても、単にこのジョブを拒否する従来技術と異なり、合冊用の複数の分冊が自動的に作成されるので、ユーザーは合冊表紙の背表紙（内面）に糊を塗布した後に、他の分冊冊子の背表紙（外面）部を指定情報の示す通り接着するという後処置だけで、所望のくるみ製本冊子を手にすることができるようになる。
【００８９】
本発明の実施の形態を図面によって説明してきたが、本発明は当該実施の形態に限定されるものではなく、本発明の要旨を逸脱しない範囲における変更や追加があっても本発明に含まれる。情報処理端末装置から依頼された製本ジョブの分冊くるみ製本処理で説明しているが、原稿読取装置で読取られた多数の原稿データを本文ページデータにしたくるみ製本ジョブ（複写機能）であったも同様の効果があり、本発明が利用できる。
【図面の簡単な説明】
【００９０】
【図１】本発明に関係する画像形成システムの中央断面図である。
【図２】本発明に関係する画像形成システムのブロック図である。
【図３】製本装置Ｂの正面断面図である。
【図４】シートＳ１の束の接着剤を塗布する行程を示す図である。
【図５】塗布ローラの移動機構を示す図である。
【図６】表紙Ｓ２、Ｓ３の接合行程を示す図である。
【図７】シート及び原冊子用の表紙、分冊冊子用の表紙に関する情報の一覧表である。
【図８】くるみ製本の基本的な構成図である。
【図９】製本ジョブの文書ファイルの構成図である。
【図１０】製本ジョブの印刷データＤ７１の構成図である。
【図１１】表紙の面付け処理の説明図である。
【図１２】情報処理端末装置Ｃの製本（印刷）ジョブの設定画面である。
【図１３】くるみ製本の詳細設定画面である。
【図１４】合冊種別設定：先頭合冊の分冊形態の概念図である。
【図１５】合冊種別設定：最終合冊の分冊形態の概念図である。
【図１６】合冊種別設定：非合冊の分冊形態の概念図である。
【図１７】実施例の製本ジョブの印刷データＤ７１である。
【図１８】分冊製本ジョブの分冊印刷データＤ７１１（第１分冊）である。
【図１９】分冊製本ジョブの分冊印刷データＤ７１２（第２分冊）である。
【図２０】分冊製本ジョブの分冊印刷データＤ７１３（合冊表紙作成）である。
【図２１】分冊要否判定処理のフローチャートである。
【図２２】分冊印刷データの作成処理のフローチャートである。
【図２３】分冊のくるみ製本印刷を含む全印刷製本処理のフローチャートである。
【符号の説明】
【００９１】
Ａ  画像形成装置
Ｂ  製本装置
７Ａ  上段給紙トレイ（シート収容手段）
７Ｂ  中段上給紙トレイ（第２の表紙収容手段）
Ｃ  中段下給紙トレイ（第２の表紙収容手段）
７Ｄ  下段給紙トレイ（第１の表紙収容手段）
１０１  画像形成装置のＣＰＵ（制御部）
Ｄ７１  印刷データ
Ｄ７１ｍ  分冊印刷データ
【図１】
2009166457.tif 000003
【図２】
2009166457.tif 000004
【図３】
2009166457.tif 000005
【図４】
2009166457.tif 000006
【図５】
2009166457.tif 000007
【図６】
2009166457.tif 000008
【図７】
2009166457.tif 000009
【図８】
2009166457.tif 000010
【図９】
2009166457.tif 000011
【図１０】
2009166457.tif 000012
【図１１】
2009166457.tif 000013
【図１２】
2009166457.tif 000014
【図１３】
2009166457.tif 000015
【図１４】
2009166457.tif 000016
【図１５】
2009166457.tif 000017
【図１６】
2009166457.tif 000018
【図１７】
2009166457.tif 000019
【図１８】
2009166457.tif 000020
【図１９】
2009166457.tif 000021
【図２０】
2009166457.tif 000022
【図２１】
2009166457.tif 000023
【図２２】
2009166457.tif 000024
【図２３】
2009166457.tif 000025